(57)【要約】【目的】  ファインダー光学系各部品の光軸が一致すべき位置決めを容易にし、部品点数の削減と組み立て工数削減を実現させ、コストパフォーマンスの高いファインダー装置を得る。【構成】  一眼レフカメラのファインダー光学系のメインミラー３を設置するミラーボックス２を主体にして、上方からはペンタプリズム５を、下方からはＳＩ表示板１０とスペーサー１４、フォーカシングスクリーン４の順に挿嵌し押さえ板１５で上方に押圧して固設可能にし、ファインダー光学系各主部品の光軸が一致すべき位置決め凹部をミラーボックス２に直接設置した。【選択図】図１
2006235246.tif 000002
【特許請求の範囲】
【請求項１】
フォーカシングスクリーンと、当該フォーカシングスクリーンの上にスーパーインポーズ表示板を並設して、被写体光を結像した被写体像のなかで撮影情報が観察可能にしたファインダー装置において、上部はペンタプリズムを受けることが可能に成形されていて、下部は前記スーパーインポーズ表示板とスペーサー、前記フォーカシングスクリーンの位置決めが可能な凹部及び溝が成形されたミラーボックスであり、当該ミラーボックスの上部からはマスク板と前記ペンタプリズムを、下部からは前記スーパーインポーズ表示板とスペーサー、前記フォーカシングスクリーンの順に挿嵌し、押さえ板で上方に押圧しながら前記ミラーボックスの内壁の取り付け成形部に固設可能にしたことを特徴とする一眼レフカメラのファインダー装置。
【発明の詳細な説明】
【技術分野】
【０００１】
本発明は、カメラ、特に一眼レフカメラのファインダー内表示装置に関するものである。
【背景技術】
【０００２】
従来、カメラのファインダー内表示装置としてカメラの撮影情報をＬＥＤ或いはＬＣＤを用いて視野外の部分で数値或いは絵文字を用いて表示するのが一般的であった。しかし近年、ファインダー視野外表示のほか、視野内にもスーパーインポーズ表示として、撮影情報を表示するカメラが提案されている。例えばフォーカシングスクリーンの上に反射部を設けた表示パネルを設置して、ライトガイドで導かれた光源を該表示パネルの側面から照射して反射部で反射した光がファインダーの視野内で視認可能な表示方法を提案した特開２００１−３０５５３９号公報やスーパーインポーズ表示を行うための表示部材にペンタプリズムの上方の光源から照射して、当該表示部材の裏面がマイクロプリズム状に成形された表示パターン部で反射した光をファインダー視野内で視認可能にした方法の特開２０００−１２２１５１号公報がある。
【０００３】
いずれもミラーボックスのファインダー光学系においてペンタプリズムの下側にフォーカシングスクリーンとスーパーインポーズ表示板の２部品を重ねて設置する方法を採っていて、特開２００１−３０５５３９号公報ではミラーボックスの上方でペンタプリズム５を上ホルダ２０２で受け、フォーカシングスクリーン４と表示パネル１０を下ホルダ２０１で受け、この上下ホルダ２０１、２０２を重ねてミラーボックスに固設する方法を採った表示装置を提案している。
【０００４】
また特開平８−４３９１６号公報ではスーパーインポーズ機能を動作させるためにペンタプリズム上方の光源から表示板１３に照射する表示方法を採っているがペンタプリズム１２をプリズムホルダ５０で受け、このプリズムホルダ５０の下側で表示板１３とフォーカシングスクリーン１１を受けるフォーカシングスクリーン保持枠５２を接合する方法を採り、プリズムホルダ５０に対してフォーカシングスクリーン保持枠５２が下方で開閉可能にして、フォーカシングスクリーン１３を交換することができるファインダー装置を提案している。
【０００５】
【特許文献１】特開２００１−３０５５３９号公報
【特許文献２】特開平８−４３９１６号公報
【特許文献３】特開２０００−１２２１５１号公報
【発明の開示】
【発明が解決しようとする課題】
【０００６】
しかしながら、前記特開２００１−３０５５３９号公報及び特開平８−４３９１６号公報の２つの方法は共にファインダー光学系におけるメインミラーを設置するミラーボックスに対しペンタプリズム及びスーパーインポーズ表示板、フォーカシングスクリーンの３つの主部品を受けるための部品を別個に設けて、それをミラーボックスに着設する方法を採っているため、部品点数増加と組み立て工数増加によるコストアップ要因となったり、組み立て効率の悪さから組み立て工程中にスーパーインポーズ表示に傷をつけるなどの不良品を発生させる原因を作っていた。特にファインダー光軸に対してペンタプリズム及びスーパーインポーズ表示板、フォーカシングスクリーンの３つの主部品の光軸を一致させて表示ズレが生じないようにするには組み立てにおいて細心の注意が必要であって、生産性を悪くしていた。
【課題を解決するための手段】
【０００７】
本発明は一眼レフカメラのファインダー光学系のメインミラーを設置するミラーボックスを主体にして、上方からはペンタプリズムを、下方からはスーパーインポーズ表示板とスペーサー、前記フォーカシングスクリーンの順に挿嵌し押さえ板で上方に押圧して固設可能にする構成にし、各主部品の光軸が一致すべき位置決め凹部をミラーボックスに直接設置することによって精度が高く、生産性の高いファインダー装置が得られるようにした。
【発明の効果】
【０００８】
本発明の一眼レフカメラのファインダー装置においては、一眼レフカメラのファインダー光学系のメインミラーを設置するミラーボックスを主体にして、上方からはペンタプリズムを、下方からはスーパーインポーズ表示板とスペーサー、前記フォーカシングスクリーンの順に挿嵌し押さえ板で上方に押圧して固設可能にする構成にし、各主部品の光軸が一致すべき位置決め凹部をミラーボックスに直接設置したので、各部品の光軸が一致すべき位置決めが容易にできる上に、部品点数の削減と組み立て工数削減が実現でき、コストパフォーマンスの高いファインダー装置が得られる。
【発明を実施するための最良の形態】
【０００９】
以下、図面等を参照して本発明の最も良好な実施形態を説明する。
【００１０】
図１は、本発明における一眼レフカメラのファインダー装置の組み立て斜視図であって、図２は本発明におけるファインダー装置の中央断面図である。図３はスーパーインポーズ表示板の形状を示した斜視図で、図４はフォーカシングスクリーンの形状を示した斜視図である。図５は押さえ板の形状を示した斜視図である。図６はミラーボックスの横断面を下から見た平面図で、図７はミラーボックス上部の様子を示す斜視図である。
【００１１】
一眼レフカメラのファインダー光学系は図２に示すように光軸１を中心に図示しない主レンズを透過した被写体光をミラーボックス２に設置されていて、揺動可能なメインミラー３で上方向に反射し、当該メインミラー３の後方で図示していないフイルム或いはイメイジャーなどの感光部材の結像位置と上方で共軛に当たる位置にフォーカシングスクリーン４のマット面に結像させた被写体像をペンタプリズム５を透して接眼レンズ６からアイレベルで被写体の正立実像で視認可能にしたもので、ミラーボックス２の上部位置２ａは被写体の結像位置とペンタプリズム５の位置を決める重要な位置を占めている。
【００１２】
一般的に撮影者がファインダー像を見ながら撮影情報が得られるようファインダー光路上に情報光源を設置していて同時に視認可能な構造になっている。ファインダー像の視野は図１に示すペンタプリズム５の下に敷くマスク７の枠７ａで決定され、視野外で表示される撮影情報は図２に示すようにＬＥＤなどによる表示光源８を表示プリズム９に照射して光路内に入射させ、その表示光をマスク７の表示枠７ｂを通過させ、ペンタプリズム５と接眼レンズ６を透して被写体像の視野外で視認できるようにしたものである。
【００１３】
視野外情報のほかに被写体像に対する測光位置や測距位置などを示すパターンを被写体像に重ねて表示するのがスーパーインポーズ表示で、本案ではペンタプリズム５とフォーカシングスクリーン４の間にスーパーインポーズ表示板（以後ＳＩ表示板と言う）１０を挿設し、ここに表示させることによって視野内で視認できるようにしている。
【００１４】
ＳＩ表示板１０は透明板でできていて裏面のフォーカシングスクリーン４に接する側が図１に示すような表示パターン１０ａの部分が微細なプリズムに成形されたもので、図２に示すようにペンタプリズム５の上部に固設するＬＥＤ１１とガイドプリズム１２があって、ＬＥＤ１１の光源をガイドプリズム１２に照射することによって光線ＬＢで示すようにペンタプリズム５の上面の一部から光線ＬＢをＳＩ表示板１０に照射誘導できるようにしているため、ＳＩ表示板１０に入射した光線ＬＢは裏面の微細プリズムに成形されている表示パターン１０ａの部分のみ反射され、この反射光がペンタプリズム５及び接眼レンズ６を通して被写体像の上にＬＥＤ１１の光源が重なって視認できるようになっている。
【００１５】
このようにフォーカシングスクリーン４の上にＳＩ表示板１０を重ねて設置することでスーパーインポーズ表示が可能なことが解るが表示の無い従来カメラに比し、従来のファインダー光学系にＳＩ表示板１０が付加される上に、それぞれの部品の光軸１が一致するよう精度良く、確実に挿設できる装置であることが必要であって、更に部品点数が上昇してコストアップを招くものであってはならない。
【００１６】
この課題から本発明ではミラーボックス２の上部位置２ａを基準位置と捉え、これにＳＩ表示板１０を含むファインダー光学系部品を上下から装着する方法を採って解決を図ったので、その装着方法について以下詳細に説明する。
【００１７】
ミラーボックス２の上部位置２ａの上面は図７に示す形状に成形されていて、マスク７の突出部７ｃと７ｄがミラーボックス２の溝２ｃと２ｄに挿嵌した上に当該溝２ｃと２ｄに立設されている２つの位置決めピン２ｅのそれぞれをマスク７の穴７ｅ及び７ｆに嵌入させることによって、ミラーボックス２の上部位置２ａの中心光軸１とマスク７の視野枠７ａの中心を合致させて固設でき、更にミラーボックス２の上部位置２ａの上面がペンタプリズム５の底部形状に合わせて成形されているために、マスク７の上にペンタプリズム５を挿着するとミラーボックス２の光軸１とペンタプリズム５の中心が合致した状態で固設できる。更にペンタプリズム５の上から図２に図示のペンタ押さえ１３で押さえこみ、微動しないように固着することでミラーボックス２におけるファインダー光学系の上部部品の組み込みが完了する。
【００１８】
一方、ミラーボックス２の上部位置２ａの下面は図６によって平面的に詳細に示しているが図１の斜視図から見られるような形状に成形されていて、これに直接ファインダー光学系の下部部品を載積することによってスーパーインポーズ表示を可能にしたファインダー光学系が完成できるようにしている。
【００１９】
図６に示すミラーボックス２の上部位置２ａの下面図は上方が被写体光が入射する撮影レンズ側で、下方がフイルム或いはイメイジャーを設置して被写体像を結像させる側であって、被写体の光線がファインダー側に通過すべく開口部２ｂがあるが、その周囲にはそれぞれのファインダー光学系の下部部品設置の精度を高めるための位置決め溝及び凹部が形成されていて、中央の溝２ｆと左溝２ｇ、右溝２ｈと左凹部２ｉ、右凹部２ｊはＳＩ表示板１０の位置決め用であり、下側の凹部２ｋと２ｌはフォーカシングスクリーン４の位置決め用である。
【００２０】
ミラーボックス２の上部位置２ａの下面に並設するファインダー光学系の下部部品は図１に示す順序で積載するが、まず図３に示すＳＩ表示板１０の上面が図６に示すミラーボックス２の上部位置２ａ面に向けて挿着すると、ＳＩ表示板１０の中央の突出部１０ｆは中央の溝２ｆに、左突出部１０ｇ、右突出部１０ｈは左溝２ｇ、右溝２ｈに、更なるＳＩ表示板１０の左突出部１０ｉ、右突出部１０ｊは上部位置２ａ面の左凹部２ｉ、右凹部２ｊに嵌挿でき、ミラーボックス２の開口部２ｂに対して位置精度良くＳＩ表示板１０を覆設した形となる。
【００２１】
次に図１で示すように薄い金属板を打ち抜いたスペーサー１４を挟んでフォーカシングスクリーン４を挿入するが、フォーカシングスクリーン４はメインミラー３の後方の被写体結像面と上方において、共軛の位置に設置されなければならないが、メインミラー３やその関連部品の取り付け誤差によって若干の調整が必要であるため、このスペーサー１４の厚みで調整するようにしている。調整によってはスペーサー１４は必要ない場合もあるし、何枚か重ねて使用する場合もある。
【００２２】
フォーカシングスクリーン４は図４に示すように四方に突出部があり、突出部４ａが在る方をミラーボックス２の前方（被写体光が入射するレンズ側）で、突出部４ｋ、４ｌが奥になるようにして、下から前記のＳＩ表示板１０に重ねて設置するが、突出部４ａはその時ピンセット等で狭持するための取手であり、突出部４ｋ、４ｌはミラーボックス２の奥壁面２ｍ（図６の下側部分）に成形されている凹部２ｋ、２ｌに挿嵌できるようにして、フォーカシングスクリーン４の左右位置を保証させ、前後の位置は後述する押さえ板１５から左突出部４ｂ、右突出部４ｃに得られるバネ圧でミラーボックス２の奥壁面２ｍにフォーカシングスクリーン４の後部面４ｍを当接させることによって保証させている。
【００２３】
最後に押さえ板１５を取り付けることによって、前記ＳＩ表示板１０、スペーサー１４、フォーカシングスクリーン４の部品３点を上方に押圧しながら下方に脱落することを防いでいる。押さえ板１５は金属板を図５に示すような枠状にプレス加工したもので、左枠辺１５ｄ、右枠辺１５ｅは弓状になっていて前部の折曲片１５ｒと１５ｓ及び後部の折曲片１５ｐと１５ｑをミラーボックス２に弓状左片枠１５ｄ、弓状右片枠１５ｅがほぼ水平に変形するように取り付けることによってフォーカシングスクリーン４を上方に押圧付勢を与えて設置することが可能となる。
【００２４】
ミラーボックス２の前上部には図１に示しているように覆い板１６を２つのネジ１７で取り付けるようになっていて、図５に図示の押さえ板１５は図２に示しているとおり後部の折曲片１５ｐと１５ｑをミラーボックス２の奥壁面２ｍに設置されている図７に図示の２つの長穴２ｐ、２ｑに挿入し、押さえ板１５の前枠を上方に押力を与えながら前部の折曲片１５ｒと１５ｓを覆い板１６の内側の棚１６ｒと１６ｓに挟着させて取り付けるが、このとき押さえ板１５の弓状左枠辺１５ｄ、弓状右枠辺１５ｅの起立片１５ｂと１５ｃがフォーカシングスクリーン４を挟みながら、図４に図示の左突出部４ｂの前側４ｂ’と右突出部４ｃの前側４ｃ’から後方に向かって押力を加えながら取り付けるようになっているため、左突出部４ｂ、右突出部４ｃに得られるバネ圧でフォーカシングスクリーン４の後部面４ｍをミラーボックス２の奥壁面２ｍに圧接保持することになり、フォーカシングスクリーン４の前後の位置が保証される。
【００２５】
以上説明したように本発明のファインダー装置はミラーボックス２の上部位置２ａを取り付けの基準にし、当該ミラーボックス２の位置決め成形によって、正確なファインダー光学系部品の取り付け位置が得られると同時にファインダー光学系部品の直接積載方式のため、部品点数の削減によるコストダウンのほか、生産性の高いファインダー装置が得られる。
【図面の簡単な説明】
【００２６】
【図１】本発明における一眼レフカメラのファインダー装置の組み立て斜視図である。
【図２】本発明におけるファインダー装置の中央断面図である。
【図３】スーパーインポーズ表示板の形状を示した斜視図である。
【図４】フォーカシングスクリーンの形状を示した斜視図である。
【図５】押さえ板の形状を示した斜視図である。
【図６】ミラーボックス横断面を下から見た平面図である。
【図７】ミラーボックス上部の斜視図である。
【符号の説明】
【００２７】
１  光軸
２  ミラーボックス
３  メインミラー
４  フォーカシングスクリーン
５  ペンタプリズム
６  接眼レンズ
７  マスク
８  表示光源
９  表示プリズム
１０  ＳＩ表示板
１１  ＬＥＤ
１２  ガイドプリズム
１３  ペンタ押さえ
１４  スペーサー
１５  押さえ板
１６  覆い板
１７  ネジ
【図１】
2006235246.tif 000003
【図２】
2006235246.tif 000004
【図３】
2006235246.tif 000005
【図４】
2006235246.tif 000006
【図５】
2006235246.tif 000007
【図６】
2006235246.tif 000008
【図７】
2006235246.tif 000009